(57)【特許請求の範囲】
【請求項１】
液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造。
【請求項２】
液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部の外面形状を角部に丸みをもたせた角形に形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造。
【請求項３】
液体収納室を加圧することにより液体収納室内の液体をノズル先端開口より必要量滴出し、液体収納室の加圧を解除すると、容器の復元力でノズル先端開口に付着した液体を容器内に吸引するものであり、前記ノズル先端部は使用開始前はシ−ルされており、使用開始時針体によりシ−ル部を開口するようなした液体容器であって、前記針体は断面を異形となし、開口後のシ−ル部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造。
【発明の詳細な説明】
【０００１】
【発明の属する技術分野】
本発明は、シアノアクリレ−ト系接着剤や目薬液や化粧液などの液体を収納した容器、より詳細には、液体収納室を加圧することにより液体収納室内の液体をノズル先端開口より必要量滴出することができ、液体収納室の加圧を解除すると、容器の復元力でノズル先端開口に付着した液体が滴下することなく容器内に吸込まれる液体容器（以下、ワンプッシュスクイズ式液体容器という）におけるノズル構造に関するものであり、特に、液体収納室の加圧を解除した場合、容器の復元力でノズル先端開口に付着した液体は大部分容器内に吸引されるが、容器内に吸引されずにノズル先端開口に付着する残存液量が多い場合に、該残存液ノズル開口からノズル部外面に回り込む現象（以下、液ダレという）を防止したワンプッシュスクイズ式液体容器におけるノズル構造に関するものである。
【０００２】
【従来の技術】
従来、ワンプッシュスクイズ式液体容器の代表例としては、特公平７−４９３０８号公報、特開昭６０−１５８０７０号公報に示された発明が挙げられる。
【０００３】
特公平７−４９３０８号公報に示された発明の構成は、その特許請求の範囲によれば、「接着剤溶液を充填した柔性弾ボトル中容器と、当該柔弾性ボトル中容器の少なくとも上端滴出嘴口を外部に突出して収納する内部に密閉空間を擁して外部から押圧自在に二重に収容密閉包装するクイズ型柔弾性外装ケース本体と、前記柔弾性ボトル中容器先端滴出嘴口及び当該柔弾性外装ケース本体上端部を一括被包する冠帽キャップからなるワンプッシュスクイズ式二重構造型接着剤包装容器」というものである。
【０００４】
又、特開昭６０−１５８０７０号公報に示された発明の構成は、その特許請求の範囲によれば、「基端側および先端側が開口し、かつ径方向からの圧力に対しても変形しない外筒（１）、上記外筒（１）に内嵌するものであって、先端側にノズルを備え、基端側への外部からの押圧により内側へ窪むが押圧解除により原形に復元する液体封入用の内容器（２）、上記外筒（１）に上記内容器（２）の背後から係合または内嵌して内容器（２）を外筒（１）内に支持するものであって、指圧を加えたとき内容器（２）の基端側を背後から押す押圧部と指圧をやめたときこれを非押圧姿勢に復元させる弾力構造部とを有する支持体（３）、よりなり、もって、支持体（３）背後からの１回の指圧により内容器（２）のノズル先端から１滴の内容物が吐出するように構成してなる容器」というものである。
【０００５】
【発明が解決しようとする課題】
上記従来技術の基本的原理は、液体収納室を加圧することにより液体収納室内の液体をノズル先端開口より必要量滴出し、液体収納室の加圧を解除することにより、容器の復元力でノズル先端開口に付着した余分な液体を容器内に吸込まんとした容器であり、確かに必要量を滴出という点において利点はあるものの、液ダレ防止や気泡の発生という点において更なる改善が望まれていた。液ダレや気泡の発生は、ノズル外面を汚すだけでなく、ノズルをキャップで被包する場合、ノズルとキャップ間に流れて固まり、両者の離脱を困難にするという問題を生ずる。特に、塗布面に対して垂直ではなく、角度を付けて使用したとき液ダレが発生しやすいという点で更なる改善が望まれていた。
【０００６】
【課題を解決するための手段】
そこで本発明は、液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第１の要旨とし、液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部の外面形状を角部に丸みをもたせた角形に形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第２の要旨とし、液体収納室を加圧することにより液体収納室内の液体をノズル先端開口より必要量滴出し、液体収納室の加圧を解除すると、容器の復元力でノズル先端開口に付着した液体を容器内に吸引するものであり、前記ノズル先端部は使用開始前はシ−ルされており、使用開始時針体によりシ−ル部を開口するようなした液体容器であって、前記針体は断面を異形となし、開口後のシ−ル部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第３の要旨とするものである。
【０００７】
【作用】
液ダレを何故減少させることができるのかについて、その理由は定かではないが、以下のように考えられる。液体収納室の加圧を解除した場合、容器の復元力でノズル先端開口に付着した液体は、大部分容器内に吸引されるが、加圧の程度や、塗布面に対する容器の使用角度や、容器内の液残量や、外界の環境などにより、容器内に吸引されずにノズル先端開口に付着する残存液量が変化し、この残存液量が多い場合に、液ダレが生じるものと思われるが、本願発明にあっては、ノズル先端開口部に液保留空間を形成したので、ノズル先端開口に付着する残存液を一点に集中させることなく拡散するすることができ、液ダレを減少させることができるものと思われる。又、ノズル内部に設けた突起と凹部により毛管作用が発生し気泡の発生が防止できるものと思われる。
【０００８】
【実施例】
以下、本発明を添付図面に基づき詳述する。尚、以下の実施例は液体としてシアノアクリレ−ト系接着剤を用いた例について説明するが、液体としてはこれ以外に目薬液や、化粧液なども適用できるものである。図１乃至図２は本発明の第１実施例である。参照符号１は、内部をシアノアクリレ−ト系接着剤を収容する液体収納室２としたポリエチレン、ポリプロピレン、ポリエチレンテレフタレ−ト、ナイロン等より構成され、その少なくとも一部が弾性復元力を有する合成樹脂よりなる容器本体であって、該容器本体１の上部（図中左方向）には外周に螺子部３を有する首部４が設けられている。尚、液体収納室２を加圧する手段としては、前記したように、容器本体１を弾性復元力のあるものとする他、容器本体１の後部もしくは側面にノック部材を設け、このノック部材をノックすることにより、液体収納室２を加圧し、液体を吐出するようにする等公知の各種手段を採用することができるし、少なくとも一部が弾性復元力を有する外容器内に容器本体１を収容し（所謂二重容器となし）てもよい。参照符号５は、後部内面に前記容器本体１の螺子部３に螺合する螺子部６を有し、又、その先端部には開口部７（図中、開口部７は閉鎖（シ−ル）した状態（使用開始前）を示しているが、使用開始時にキャップ頂部の内面に止着された針体もしくはキャップとは別体となった針体（図示せず）により開口されるものである。これは、シアノアクリレ−ト系接着剤は空気中の水分を吸収すると固化して使用できなくなるため、使用者が始めて使用を開始するまでは開口部７をシ−ルした状態とする必要があることによるものである。）が設けられた合成樹脂又は金属よりなるノズルであり、該ノズル５の内孔は前方に行くに従い徐々に絞られ内断面積が小さくなるように形成されている。
【０００９】
以上の構成は、基本的には従来技術と異なるところはない。本発明の特徴は、ノズル５の構造にある。即ち、ノズル５の先端部には、４本のスリット８が設けられており、このスリット８が液保留空間を形成しているが、スリット８の本数は適宜設定すればよいものである。該スリット８は、液摘出時に例え余分な液がノズル開口からノズル外面に回り込んでも、液体収納部の加圧を解除した際に該液が容器内に戻る際の通り道となり、液ダレ防止効果をさらに高める効果を有する。尚、ノズル５の先端部はラッパ状に拡開した状態となしたが、ストレ−トであってもよい。しかしラッパ状に拡開した方が、残存液がノズル開口からノズル外面に回り込み難いのでより好ましい。
【００１０】
図３は、本発明の第２実施例を示すものであって、本例は、ノズル５の先端部外周に４本の溝９を設け、この溝９を液保留空間となしたものであるが、溝９の本数は適宜設定すればよいものである。
【００１１】
図４は、本発明の第３実施例を示すものであって、本例は、ノズル５の先端部外周に環状のくびれ部１０を設け、該くびれ部１０より前方にラッパ状に拡開部１１を形成したものであって、くびれ部１０とラッパ状の拡開部１１を液保留空間となしたものである。
【００１２】
以上の例は、ノズル５の先端開口部に液保留空間を形成した例であるが、液保留空間の形成手段としては、上記以外にも種々なせる。例えば、ノズル５の先端開口部内面に開口端に至る溝を形成するようなしたり、ノズル５の先端開口端部に環状や格子状などの溝を形成するようなす等である。
【００１３】
図５は、本発明の第４実施例を示すものであって、本例は、ノズル５の先端開口部の外面形状を角部に丸みをもたせた角形に形成したものである。図中、角形としては４角形をもって示したが、５角形、６角形、８角形など適宜選択すればよいし。ノズル５の先端開口部の外面形状を角部に丸みをもたせた角形に形成した本例においては、外形が円である一般のノズルの先端開口部に比較し臨界界面張力が大きくなり、ノズル５の先端に付着する残存液が拡散する現象を示し、一点に残存液が集中・付着することを極力防ぐことができ、液ダレを極力防止することができることとなる。
【００１４】
図６は、本発明の第５実施例を示すものである。即ち、一般に、ノズル５の先端部は使用開始前はシ−ルされており、使用開始時針体によりシ−ル部を開口するようなすものであるが、本例においては、針体１２の断面を異形（図中は星型）となし、この針体１２によってシ−ル部を開口させ開口部７を形成することによって、開口部７の形状を、針体１２の断面形状と同一とはならないもののそれに近い断面形状となすことができ、これを液保留空間となしたものである。尚、針体１２の断面形状としては、例えば図７に示すような形状となしたり、その他三角形、四角形などであってもよい。
以上の例は、液だれを防止する為の構成である。
【００１５】
次ぎに、気泡の発生を防止する構成を説明する。
図８乃至図１０は、液ダレ防止と共に、吐出時における液体中の気泡の発生防止を同時に満足することができる実施例である。尚、ノズル先端開口部の形状並びに開口部７の形状については図示を省略してあるが、前記実施例と組み合わせて実施されるものである。又、図１と同一部位には同一の符号を付した。
【００１６】
図８乃至図１０は、ノズル部内に、ほぼ長手方向にかつ全長にわたり複数の突起と凹みにより連通異形断面空間を形成した実施例が示されている。
【００１７】
具体的に述べると、図８において、ノズル５の孔の内面には、ほぼ長手方向にかつ全長にわたり複数の突起１３と凹み１４が形成されており、この突起１３と凹み１４により連通した異形断面空間１５が形成されている（図９、１０参照）。尚、図９中における破線は、突起１３による内接円を示すものでであり、この内接円が毛管として機能するものであり、毛管径としては、使用する液体の種類や表面張力や粘度により適宜決定すればよいが、例えば液体がシアノアクリレ−ト系接着剤であって、その表面張力が２５〜４５ｄｙｎｅ／ｃｍ、粘度が１〜１０００ｃｐｓの場合には、０．７ｍｍ以下が好ましい。又、異形断面空間１５の形成は、図示においてはノズル５内面と一体に形成した突起１３と凹み１４により形成したが、ノズル５内面と別体に形成したものを一体化してもよいし、異形断面空間１５の形状は、図示においては比較的シンプルな形状をもって示したが、突起１３と凹み１４の表面に溝を形成したり、突起を曲線状となしたり、突起の最内方部（軸心部）を枝分かれさせるなど複雑な形状となすこともできる。更に、突起１３と凹み１４により形成される異形断面空間１５の内壁は、切削による粗面加工などの機械的処理や、物理的処理や、化学的処理などを施してもよい。
【００１８】
【発明の効果】
本発明は、液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第１の要旨とし、液体収納室を加圧することにより液体収納室内の液体をノズル先端開口より必要量滴出し、液体収納室の加圧を解除すると、容器の復元力でノズル先端開口に付着した液体を容器内に吸引する液体容器であって、前記ノズル先端開口部の外面形状を角部に丸みをもたせた角形に形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第２の要旨とし、液体収納室を加圧することにより液体収納室内の液体をノズル先端開口より必要量滴出し、液体収納室の加圧を解除すると、容器の復元力でノズル先端開口に付着した液体を容器内に吸引するものであり、前記ノズル先端部は使用開始前はシ−ルされており、使用開始時針体によりシ−ル部を開口するようなした液体容器であって、前記針体は断面を異形となし、開口後のシ−ル部に液保留空間を形成すると共に、ノズル部内に、ほぼ長手方向にかつ全長にわたり複数の突起と凹みにより連通異形断面空間を形成し、又、前記複数の突起の頂部における内接円径を全長に渡って同一な径にする一方、前記凹みの底部における内接円径を開口部に向けて小径とすることによって、前記凹みの深さを開口部に向けて浅く形成したことを特徴とするワンプッシュスクイズ式液体容器におけるノズル構造を第３の要旨としたので、容器内に吸引されずにノズル先端開口に付着する残存液を留めておいたり、一点に集中させることなく拡散することができ、液ダレを極力減少させることができる。又、上記構成において、前記ノズル部内に、ほぼ長手方向にかつ全長にわたり複数の突起と凹みにより連通異形断面空間を形成した構成においては、液ダレ防止効果の他に、ノズル先端開口部より液体を導出させる際、連通異形断面空間によって、吐出される液体に相当する空気が容器本体内に置換されるため、吐出される液体内における気泡の発生を極力防止することができるという付加的効果をも有するものである。
【図面の簡単な説明】
【図１】  本発明の第１実施例を示す部分縦断面図。
【図２】  ノズルの要部斜視図。
【図３】  ノズルの他の実施例の要部斜視図。
【図４】  ノズルの更に他の実施例の要部斜視図。
【図５】  ノズルの更に他の実施例の要部斜視図。
【図６】  ノズルと針体の実施例の要部斜視図。
【図７】  図６に相当する針体の他の実施例横断面図。
【図８】  本発明の他の実施例を示す部分縦断面図。
【図９】  図８のＡ−Ａ線拡大端面図。
【図１０】  図８のＢ−Ｂ線拡大端面図。
【符号の説明】
１  容器本体
２  液体収納室
３  螺子部
４  首部
５  ノズル
６  螺子部
７  開口部
８  スリット
９  溝
１０  くびれ部
１１  拡開部
１２  針体
１３  突起
１４  凹み
１５  異形断面空間
１６  細杆体
１７  異形断面空間
【図１】
0003648817.tif 000002
【図２】
0003648817.tif 000003
【図３】
0003648817.tif 000004
【図４】
0003648817.tif 000005
【図５】
0003648817.tif 000006
【図６】
0003648817.tif 000007
【図７】
0003648817.tif 000008
【図８】
0003648817.tif 000009
【図９】
0003648817.tif 000010
【図１０】
0003648817.tif 000011